(57)【要約】【課題】本発明は、顧客が自己の希望するヘアースタイル等の施術が得意な美容師をネットワークを利用して検索することができる美容師検索サーバ、美容師検索方法、美容師検索プログラム及びこのプログラムを記録した記録媒体を提供する。【解決手段】本発明の美容師検索ウェブサーバＳは、ネットワークを介して通信端末と通信を行うための通信インタフェース部３と、美容師の得意施術情報及び電子メールアドレスを互いに対応づけて記憶する美容師情報記憶部２３と、顧客の希望施術情報及び電子メールアドレスを顧客の通信端末から受信し、この受信した希望施術情報に基づいて美容師情報記憶部２３の得意施術情報を検索することによって、顧客が希望する施術を得意とする美容師の電子メールアドレスを検索すると共に、この検索した美容師の電子メールアドレスを顧客が利用する通信端末に表示させる中央処理部１とを備える。【選択図】図２
2007193646.tif 000002
【特許請求の範囲】
【請求項１】
ネットワークを介して通信端末と通信を行うための通信部と、
美容師が得意とする施術を表す得意施術情報及び前記美容師が利用する電子メールアドレスを互いに対応づけて記憶する美容師情報記憶部と、
顧客が希望する施術に関する希望施術情報及び前記顧客が利用する電子メールアドレスを前記顧客が利用する通信端末から前記ネットワークを介して前記通信部で受信し、前記受信した希望施術情報に基づいて前記美容師情報記憶部に記憶されている前記得意施術情報を検索することによって、前記顧客が希望する施術を得意とする美容師の電子メールアドレスを検索する第１処理部と、
前記第１処理部で検索した美容師の電子メールアドレスを前記顧客が利用する通信端末に表示させる第２処理部とを備えること
を特徴とする美容師検索サーバ。
【請求項２】
前記顧客の顔写真のファイルを前記顧客が利用する通信端末から前記ネットワークを介して前記通信部で受信し、前記顧客の顔写真から顔の輪郭を抽出した顧客の顔写真を生成してヘアースタイルのシミュレーションを行って、シミュレーションの結果を前記顧客が利用する通信端末に表示させる第３処理部をさらに備えること
を特徴とする請求項１に記載の美容師検索サーバ。
【請求項３】
前記ヘアースタイルのシミュレーションは、前記顧客の顔を写す正面方向を少なくとも含む３方向から前記顧客の頭部を写す画像を用いる３Ｄ画像方式であること
を特徴とする請求項２に記載の美容師検索サーバ。
【請求項４】
顧客が希望する施術に関する希望施術情報及び前記顧客が利用する電子メールアドレスを前記顧客が利用する通信端末からネットワークを介して受信するステップと、
美容師が利用する電子メールアドレスと対応づけて美容師情報記憶部に記憶されている前記美容師が得意とする施術を表す得意施術情報を、前記受信した希望施術情報に基づいて検索することによって、前記顧客が希望する施術を得意とする美容師の電子メールアドレスを検索するステップと、
前記検索した美容師の電子メールアドレスを前記ネットワークを介して前記顧客が利用する通信端末に表示させるステップとを備えること
を特徴とする美容師検索方法。
【請求項５】
コンピュータに、
顧客が希望する施術に関する希望施術情報及び前記顧客が利用する電子メールアドレスを前記顧客が利用する通信端末からネットワークを介して受信するステップと、
美容師が利用する電子メールアドレスと対応づけて美容師情報記憶部に記憶されている前記美容師が得意とする施術を表す得意施術情報を、前記受信した希望施術情報に基づいて検索することによって、前記顧客が希望する施術を得意とする美容師の電子メールアドレスを検索するステップと、
前記検索した美容師の電子メールアドレスを前記ネットワークを介して前記顧客が利用する通信端末に表示させるステップと
を実行させるための美容師検索プログラム。
【請求項６】
コンピュータに、
顧客が希望する施術に関する希望施術情報及び前記顧客が利用する電子メールアドレスを前記顧客が利用する通信端末からネットワークを介して受信するステップと、
美容師が利用する電子メールアドレスと対応づけて美容師情報記憶部に記憶されている前記美容師が得意とする施術を表す得意施術情報を前記受信した希望施術情報に基づいて検索することによって、前記顧客が希望する施術を、得意とする美容師の電子メールアドレスを検索するステップと、
前記検索した美容師の電子メールアドレスを前記ネットワークを介して前記顧客が利用する通信端末に表示させるステップと
を実行させるための美容師検索プログラムを記録した記憶媒体。
【発明の詳細な説明】
【技術分野】
【０００１】
本発明は、ネットワークを利用することにより、顧客が自己の要求する施術やヘアースタイルを得意とする美容師を検索することができる美容師検索サーバ及び美容師検索方法に関する。そして、この美容師検索方法が適用された美容師検索プログラム及びこの美容師検索プログラムを記録した記録媒体に関する。
【背景技術】
【０００２】
通常、美容師の顧客（クライアント）獲得活動は、美容室の店名、所在地、営業日、営業時間及び価格等を記載したチラシを新聞の折り込み広告で地域に配ったり、このようなチラシを最寄り駅等の街頭で配ったり、あるいは、このような情報を掲載した美容室のサイトをインターネット上に開設することによって行われ、顧客は、このようなチラシやサイトのページにおける内容を参照して美容室や美容師を探している。
【０００３】
そして、顧客は、自己の希望するヘアースタイルにしてもらうために、美容師にヘアースタイルを口頭で説明したり、自己の希望するヘアースタイルが掲載されている雑誌やカタログ等をさらに持参して説明したりしているが、自己の希望するヘアースタイルを美容師にうまく伝えられないことが多い。仮に、美容師にうまく伝わったとしても、実際にそのヘアースタイルに変えて見ると、思っていたほど似合わないこともあり得る。このため、ディスプレイに顧客の顔を表示してこれに様々なヘアースタイルの画像を重ね合わせることによってヘアースタイルをシミュレーションすることができるソフトウェアが開発されており、例えば、特許文献１に開示されている。
【０００４】
この特許文献１には、ヘアースタイル記憶手段と、ユーザの希望のヘアースタイルの基礎データを入力するためのテーブルを記憶したテーブル記憶手段と、処理部と、ディスプレイとからなり、上記ヘアースタイル記憶手段には、複数のヘアースタイルサンプルと、上記１つのヘアースタイルサンプルに対応すると共にパーマの強さを表す座標軸と毛髪のすき量を表す座標軸とからなるマトリックス表とを記憶し、上記処理部は、ヘアースタイルサンプル選択信号を受信したとき上記基礎データに一致するヘアースタイルサンプルを抽出するステップと、マトリックス表示信号を受信したとき抽出したヘアースタイルサンプルに対応するマトリックス表を抽出するステップと、マトリックス表の座標指定信号を受信したときこの座標に対応するヘアースタイルサンプルを抽出するステップとを備えるヘアースタイルシミュレーションシステムが開示されており、この構成によってこのシステムは、定型化されたヘアースタイルを自由に微調整することができる。
【特許文献１】特開２００２−３２８９９５号公報
【発明の開示】
【発明が解決しようとする課題】
【０００５】
ところで、顧客は、美容室でサービスの提供を受ける場合、より満足感が得られるサービスの提供を受けるために、自己の希望する施術（ヘアースタイルを含む。）が得意な美容師からサービスの提供を受けたいと思うものである。しかしながら、従来では、美容室や美容師から店名、所在地、営業日、営業時間及び価格等の情報が提供されるだけで、美容師が得意とする施術の情報は、提供されていなかった。また、インターネットにおける美容室のサイトもこれら情報に加え、ヘアースタイルのサンプル画像は、掲載されているが、美容師が得意とする施術の情報は、提供されていなかった。
【０００６】
そして、希望のヘアースタイルを美容師に伝える場合、ディスプレイに表示され様々なヘアースタイルに変えることができる上記シミュレーションは、有効であるが、インターネット上でこのシミュレーションを行おうとすると、顧客は、面識のない美容師に顧客の素顔を写した顔写真のファイルを渡すことになるため、その顔写真のファイルの送信にためらいを感じることや、顧客のプライバシーや安全が損なわれる危険がある。あるいは、顧客の素顔を写した顔写真のファイルがインターネット上で通信され、シミュレーションを行うサーバコンピュータに保存される場合もあるため、この顧客の素顔を写した顔写真のファイルがインターネットを介して流出する危険もある。
【０００７】
本発明は、上述の事情に鑑みて為された発明であり、顧客が自己の希望するヘアースタイル等の施術が得意な美容師をネットワークを利用して検索することができる美容師検索サーバ及び美容師検索方法を提供することを目的とする。また、顧客が安心して顧客の素顔を写した顔写真のファイルを送信することができる美容師検索サーバを提供することを目的する。そして、このような美容師検索方法を適用した美容師検索プログラム及び該美容師検索プログラムを記録した記録媒体を提供することを目的とする。
【課題を解決するための手段】
【０００８】
本発明者は、種々検討した結果、上記目的は、以下の本発明により達成されることを見出した。即ち、本発明の一態様に係る美容師検索サーバは、ネットワークを介して通信端末と通信を行うための通信部と、美容師が得意とする施術を表す得意施術情報及び前記美容師が利用する電子メールアドレスを互いに対応づけて記憶する美容師情報記憶部と、顧客が希望する施術に関する希望施術情報及び前記顧客が利用する電子メールアドレスを前記顧客が利用する通信端末から前記ネットワークを介して前記通信部で受信し、前記受信した希望施術情報に基づいて前記美容師情報記憶部に記憶されている前記得意施術情報を検索することによって、前記顧客が希望する施術を得意とする美容師の電子メールアドレスを検索する第１処理部と、前記第１処理部で検索した美容師の電子メールアドレスを前記顧客が利用する通信端末に表示させる第２処理部とを備えることを特徴とする。
【０００９】
そして、本発明の他の一態様に係る美容師検索方法は、顧客が希望する施術に関する希望施術情報及び前記顧客が利用する電子メールアドレスを前記顧客が利用する通信端末からネットワークを介して受信するステップと、美容師が利用する電子メールアドレスと対応づけて美容師情報記憶部に記憶されている前記美容師が得意とする施術を表す得意施術情報を、前記受信した希望施術情報に基づいて検索することによって、前記顧客が希望する施術を得意とする美容師の電子メールアドレスを検索するステップと、前記検索した美容師の電子メールアドレスを前記ネットワークを介して前記顧客が利用する通信端末に表示させるステップとを備えることを特徴とする。
【００１０】
また、本発明に係る他の一態様は、コンピュータに、顧客が希望する施術に関する希望施術情報及び前記顧客が利用する電子メールアドレスを前記顧客が利用する通信端末からネットワークを介して受信するステップと、美容師が利用する電子メールアドレスと対応づけて美容師情報記憶部に記憶されている前記美容師が得意とする施術を表す得意施術情報を、前記受信した希望施術情報に基づいて検索することによって、前記顧客が希望する施術を得意とする美容師の電子メールアドレスを検索するステップと、前記検索した美容師の電子メールアドレスを前記ネットワークを介して前記顧客が利用する通信端末に表示させるステップとを実行させるための美容師検索プログラムである。
【００１１】
さらに、本発明に係る他の一態様は、コンピュータに、顧客が希望する施術に関する希望施術情報及び前記顧客が利用する電子メールアドレスを前記顧客が利用する通信端末からネットワークを介して受信するステップと、美容師が利用する電子メールアドレスと対応づけて美容師情報記憶部に記憶されている前記美容師が得意とする施術を表す得意施術情報を前記受信した希望施術情報に基づいて検索することによって、前記顧客が希望する施術を、得意とする美容師の電子メールアドレスを検索するステップと、前記検索した美容師の電子メールアドレスを前記ネットワークを介して前記顧客が利用する通信端末に表示させるステップとを実行させるための美容師検索プログラムを記録した記憶媒体である。
【００１２】
このような構成の美容師検索サーバ、美容師検索方法及び美容師検索プログラムでは、美容師が得意とする施術を表す得意施術情報及び前記美容師が利用する電子メールアドレスが、互いに対応づけて記憶されており、顧客が希望する施術に関する希望施術情報及びこの顧客が利用する電子メールアドレスが、この顧客が利用する通信端末からネットワークを介して受信され、この受信した希望施術情報に基づいて美容師情報記憶部に記憶されている得意施術情報が検索されることによって、この顧客が希望する施術を得意とする美容師の電子メールアドレスが検索される。そして、この検索された美容師の電子メールアドレスが、この顧客が利用する通信端末に表示される。このため、顧客は、自己の希望するヘアースタイル等の施術が得意な美容師を、ネットワークを利用して検索し得る。
【００１３】
そして、上述の美容師検索サーバにおいて、前記顧客の顔写真のファイルを前記顧客が利用する通信端末から前記ネットワークを介して前記通信部で受信し、前記顧客の顔写真から顔の輪郭を抽出した顧客の顔写真を生成してヘアースタイルのシミュレーションを行って、シミュレーションの結果を前記顧客が利用する通信端末に表示させる第３処理部をさらに備えることを特徴とする。この構成によれば、美容師検索サーバは、ヘアースタイルのシミュレーションを行うに当たって、顧客の顔写真から顔の輪郭を抽出した顧客の顔写真を生成し、この顔の輪郭の顔写真を用いる。このため、顧客は、安心して自己の素顔を写した顔写真のファイルを美容師検索サーバに送信することができる。
【００１４】
さらに、上述の美容師検索サーバにおいて、前記ヘアースタイルのシミュレーションは、前記顧客の顔を写す正面方向を少なくとも含む３方向から前記顧客の頭部を写す画像を用いる３Ｄ画像方式であることを特徴とする。この構成によれば、美容師検索サーバは、ヘアースタイルのシミュレーションを行うに当たって、３Ｄ画像方式が採用されているので、ヘアースタイルが立体的に表現され、ヘアースタイルがより的確に表現され得る。
【発明の効果】
【００１５】
本発明によれば、顧客が自己の希望するヘアースタイル等の施術が得意な美容師をネットワークを利用して検索することができる。
【発明を実施するための最良の形態】
【００１６】
以下、本発明に係る実施形態を図面に基づいて説明する。なお、各図において同一の符号を付した構成は、同一の構成であることを示し、その説明を省略する。
【００１７】
図１において、美容師検索システムＳＹは、顧客又は美容師によって利用される通信端末Ｔと、顧客の要求に応じて顧客の希望を満たす美容師を検索してこの検索結果を顧客に配信することによって顧客と美容師とを仲介する美容師検索ウェブサーバＳとを備えて構成され、美容師検索ウェブサーバＳと通信端末Ｔとは、ネットワークＮＴを介して通信可能に接続される。
【００１８】
ネットワークＮＴは、有線又は無線の伝送路によって構成される例えば電話網、ディジタル通信網及び無線通信網等の通信網である。ネットワークＮＴには、所定の通信プロトコルが用いられてデータが伝送される。通信プロトコルには、例えば、ＨＴＴＰ（Hyper Text Transfer Protocol）、ＦＴＰ（File Transfer Protocol）、ＳＭＴＰ（Simple Mail Transfer Protocol）、ＰＯＰ３（Post Office Protocol ver.3）及びＴＣＰ／ＩＰ（Transmission Control Protocol/Internet Protocol）等のいわゆるインターネットプロトコル群が用いられる。
【００１９】
通信端末Ｔは、ネットワークＮＴを介して通信を行う端末側通信部と、この端末側通信部で受信した通信信号に収容されている情報を例えば表示等することによって出力する端末側出力部と、顧客や美容師の操作を受付ける端末側入力部と、これら端末側通信部、端末側出力部及び端末側入力部を当該機能に応じてそれぞれ制御する端末側制御部とを備え、ネットワークＮＴを介して美容師検索ウェブサーバＳと通信可能に接続され、美容師検索ウェブサーバＳがネットワークＮＴを介して配信した通信信号に収容されている情報を出力すると共に、顧客や美容師の操作に応じて所定の情報を収容する通信信号をネットワークＮＴを介して美容師検索ウェブサーバＳに返信する。例えば、通信端末Ｔは、美容師検索ウェブサーバＳがウェブサーバであり、そして、顧客と美容師とが後述するように電子メールで交渉することから、ネットワークＮＴに接続して通信を行うためのソフトウェア、ウェブブラウザ及びメーラ等のアプリケーションソフトウェアを備えた、通信機能付きパーソナルコンピュータ（ノート型やディスクトップ型）、通信機能付きＰＤＡ（Personal Digital Assistants）及びネットワーク接続機能付き携帯電話等である。
【００２０】
また、後述するように、顧客は、自己の顔写真を美容師検索ウェブサーバＳに送信することから、特に、顧客が利用する通信端末Ｔは、顧客が自己の顔を写してその顔写真のファイルを簡易に美容師検索ウェブサーバＳに送信することができるように、ディジタルカメラ付きであることが好ましい。
【００２１】
図１に示す例では、通信端末Ｔは、通信端末Ｔ−１、Ｔ−２、・・・、１２−ｎの複数が示されているが、通信端末Ｔの個数は、１又は複数の任意でよい。
【００２２】
ここで、本明細書において、総称する場合には添え字を省略した参照符号で示し、個別の構成を指す場合には添え字を付した参照符号で示す。
【００２３】
美容師検索ウェブサーバＳは、美容師が利用する通信端末ＴからネットワークＮＴを介して美容師に関する情報を受け付けて登録し、顧客が利用する通信端末ＴからネットワークＮＴを介して顧客が希望する美容師に関する情報を受け付けてこの受け付けた美容師に関する情報と登録されている美容師に関する情報に、より一致する美容師を検索し、この検索結果を顧客が利用する通信端末ＴにネットワークＮＴを介して送信し表示させるサーバコンピュータであり、図２に示すように、中央処理部１と、記憶部２と、通信インタフェース部３と、バス４とを備えて構成される。
【００２４】
通信インタフェース部３は、ネットワークＮＴに接続され、このネットワークＮＴを介して通信端末Ｔとの間で通信信号を送受信するためのインタフェース回路であり、中央処理部１からのデータに基づいてネットワークＮＴの通信プロトコルに従った通信信号を生成すると共にネットワークＮＴからの通信信号を中央処理部１が処理可能な形式のデータに変換する。
【００２５】
記憶部２は、機能的に、美容師検索サイトを構成する例えばＨＴＭＬ（Hyper Text Markup Language）やＸＭＬ（Extensible Markup Language）等のマークアップ言語で記述された各ページのファイルを記憶するページ情報記憶部２１と、電子メールを保存する電子メール記憶部２２と、美容師情報を記憶する美容師情報記憶部２３と、顧客情報を記憶する顧客情報記憶部２４と、顧客の顔写真のファイルを記憶する顔写真ファイル記憶部２５とを備え、顧客の希望に合う美容師を検索する美容師検索プログラム等の各種プログラム、及び、自機の電子メールアドレス等の各種プログラムの実行に必要なデータやその実行中に生じるデータ等の各種データを記憶する。記憶部２は、例えば、中央処理部１の所謂ワーキングメモリとなるＲＡＭ（Random Access Memory）等の揮発性の記憶素子、ＲＯＭ（Read Only Memory）や書換え可能なＥＥＰＲＯＭ（Electrically Erasable Programmable Read Only Memory）等の不揮発性の記憶素子、及び、比較的容量の大きいデータを記憶するハードディスク等を備えて構成される。
【００２６】
美容師情報は、顧客が自分の希望に合った美容師を選択するために参考となる美容師の属性を表す情報であり、例えば、本実施形態では、美容師の氏名、勤務先名、電子メールアドレス（Ｅメールアドレス）、エリア、最寄り駅名、施術価格、得意施術及び美容師の自己アピールである。
【００２７】
これら情報は、例えば、図３に示すように、テーブルの各レコードを識別する識別子として機能するレコード番号を登録するレコード番号フィールド２０１、美容師の氏名を登録する氏名フィールド２０２、美容師が勤務する勤務先の名称（例えば店舗名等）を登録する勤務先フィールド２０３、美容師の電子メールアドレスを登録するＥメールアドレスフィールド２０４、参考として美容師が顧客獲得を希望する地域であるエリアを登録するエリアフィールド２０５、美容師が顧客に施術を施す施術場所における最寄り駅の駅名を登録する最寄り駅フィールド２０６、美容師が顧客に施す施術に対する対価である施術価格を登録する施術価格フィールド２０７、美容師が得意とする施術（ヘアースタイルを含む）である得意施術を登録する得意施術フィールド２０８、及び、美容師の自己アピールを登録する自己アピールフィールド２０９の各フィールドを備えて構成され、レコード番号ごとにレコードが作成される美容師情報テーブル２００にそれぞれ登録され、このようなテーブル形式で美容師情報記憶部２３に記憶される。美容師情報テーブル２００のレコードは、美容師が利用する通信端末ＴからネットワークＮＴを介して美容師情報が登録されるごとに作成される。そして、施術価格フィールド２０７は、施術の種類ごとに複数のサブフィールドを備えており、図３に示す例では、カット、パーマ、ストレート、縮毛矯正、トリートメント及びエステを美容師が顧客に施術する場合のそのサービスに対する価格を登録するカットサブフィールド２０７１、パーマサブフィールド２０７２、ストレートサブフィールド２０７３、縮毛矯正サブフィールド２０７４、トリートメントサブフィールド２０７５及びエステサブフィールド２０７６の各フィールドを備えている。また、得意施術フィールド２０８は、ヘアースタイルやカット等の施術の種類ごとに複数のサブフィールドを備えており、図３に示す例では、スタイルサブフィールド２０８１、カットサブフィールド２０８２、パーマサブフィールド２０８３、ストレートサブフィールド２０８４、縮毛矯正サブフィールド２０８５、トリートメントサブフィールド２０８６及びエステサブフィールド２０８７の各フィールドを備えている。スタイルサブフィールド２０８１には、美容師の得意なヘアースタイルを表す情報が登録され、本実施形態では後述するようにヘアースタイルごとに、ヘアースタイルを特定し識別するための識別子としてヘアースタイル番号が割り当てられており、このヘアースタイル番号が登録される。カットサブフィールド２０８２、パーマサブフィールド２０８３、ストレートサブフィールド２０８４、縮毛矯正サブフィールド２０８５、トリートメントサブフィールド２０８６及びエステサブフィールド２０８７の各フィールドには、美容師が当該フィールドの施術が得意とする場合にその旨が登録され、本実施形態では、美容師が当該フィールドの施術が得意とする場合に、記号、例えば○が登録される。
【００２８】
顧客情報は、当該美容師検索システムＳＹを利用して自分の希望に合った美容師を検索する顧客の属性並びに顧客が希望する施術（ヘアースタイルを含む。）を表す情報であり、例えば、本実施形態では、顧客の氏名、電子メールアドレス、顔写真ファイル名、エリア、最寄り駅及び希望施術である。
【００２９】
これら情報は、例えば、図４に示すように、テーブルの各レコードを識別する識別子として機能するレコード番号を登録するレコード番号フィールド３０１、顧客の氏名を登録する氏名フィールド３０２、顧客の電子メールアドレスを登録するＥメールアドレスフィールド３０３、顧客の顔写真のファイル名を登録する顔写真ファイル名フィールド３０４、顧客が希望するエリアを登録するエリアフィールド３０５、顧客が希望する最寄り駅を登録する最寄り駅フィールド３０６、及び、顧客が希望する施術を登録する希望施術フィールド３０７の各フィールドを備えて構成され、レコード番号ごとにレコードが作成される顧客情報テーブル３００にそれぞれ登録され、このようなテーブル形式で顧客情報記憶部２４に記憶される。顧客情報テーブル３００のレコードは、顧客が利用する通信端末ＴからネットワークＮＴを介して顧客情報が登録されるごとに作成される。そして、希望施術フィールド３０７は、ヘアースタイルやカット等の施術の種類ごとに複数のサブフィールドを備えており、図４に示す例では、スタイルサブフィールド３０７１、カットサブフィールド３０７２、パーマサブフィールド３０７３、ストレートサブフィールド３０７４、縮毛矯正サブフィールド３０７５、トリートメントサブフィールド３０７６及びエステサブフィールド３０７７の各フィールドを備えている。希望スタイルフィールド３０５には、顧客が美容師に希望するヘアースタイルを表す情報が登録され、本実施形態ではヘアースタイル番号が登録される。カットサブフィールド３０７２、パーマサブフィールド３０７３、ストレートサブフィールド３０７４、縮毛矯正サブフィールド３０７５、トリートメントサブフィールド３０７６及びエステサブフィールド３０７７の各フィールドには、当該フィールドの施術を顧客が美容師に希望する場合にその旨が登録され、本実施形態では、記号、例えば○が登録される。
【００３０】
なお、本実施形態では、美容師情報テーブル２００及び顧客情報テーブル３００における施術は、ヘアースタイル、カット、パーマ、ストレート、縮毛矯正、トリートメント及びエステを挙げたが、これに限定されるものではなく、美容師が実行可能な施術であればよく、例えば、これらの他に、カラー、ファッションシェード、グレイカラー、エクステンション、ネイル等がある。そして、これらに対応するようにフィールドを美容師情報テーブル２００及び顧客情報テーブル３００にさらにそれぞれ設けてもよい。
【００３１】
中央処理部１は、例えば、マイクロプロセッサ及びその周辺回路等を備えて構成され、機能的に、ウェブサーバ部１１と、メーラ部と、美容師情報登録部１３と、顧客情報登録部１４と、検索処理部１５とを備えると共に、制御プログラムに従い記憶部２及び通信インタフェース部３を当該機能に応じてそれぞれ制御する。
【００３２】
ウェブサーバ部１１は、ＷＷＷ（World Wide Web）による情報送信機能を持つものであり、通信端末Ｔにおけるウェブブラウザの要求に応じた記憶部２のページ情報記憶部２１に記憶されているページのファイルをネットワークＮＴを介して送信すると共に、ページに書き込まれた情報やページを操作した情報を通信端末Ｔから取り込むものである。
【００３３】
メーラ部１２は、自機の電子メールアドレス（後述する図１３の送信先Ｅメールアドレス表示部１６５に表示されている電子メールアドレス）を用いて、自機宛の電子メールをメールサーバから随時、例えば所定の時間間隔で読み込み、自機宛の電子メールが読み込まれた場合には、この読み込んだ電子メールを記憶部２の電子メール記憶部２２に記憶するものである。
【００３４】
美容師情報登録部１３は、後述するように、ウェブサーバ部１１から美容師情報の通知を受けると、この通知を受けた美容師情報を記憶部２の美容師情報記憶部２３に記憶するものである。顧客情報登録部１４は、後述するように、ウェブサーバ部１１から顧客情報の通知を受けると、この通知を受けた顧客情報を記憶部２の顧客情報記憶部２４に記憶するものである。検索処理部１５は、後述するように、ウェブサーバ部１１から顧客情報の通知を受けると、この通知を受けた顧客情報に基づいて、顧客の希望に応じた美容師を検索し、検索結果をウェブサーバ部１１に通知するものである。
【００３５】
これら中央処理部１、記憶部２及び通信インタフェース部３は、データを相互に交換することができるようにバス４でそれぞれ接続される。
【００３６】
なお、必要に応じて美容師検索ウェブサーバＳは、破線で示すように、入力部５、出力部６及び／又は外部記憶部７をさらに備えてもよい。入力部５は、美容師検索ウェブサーバＳを操作するための各種コマンド、及び、美容師検索ウェブサーバＳを動作させるために必要な各プログラムや各データ等を美容師検索ウェブサーバＳに入力する機器であり、例えば、キーボードやマウスやタッチパネル等である。なお、美容師検索ウェブサーバＳを動作させるために必要な各プログラムや各データ等が美容師検索ウェブサーバＳを製造する企業やこれを販売する企業によって予め記憶部２に格納されている場合には、入力部５の必要性は、低減する。出力部６は、入力部５から入力されたコマンドやデータ、美容師検索ウェブサーバＳの動作状態等を出力する機器であり、例えばＣＲＴディスプレイ、ＬＣＤ、有機ＥＬディスプレイ又はプラズマディスプレイ等の表示装置やプリンタ等の印字装置等である。なお、美容師検索ウェブサーバＳを管理する管理者等の美容師検索ウェブサーバＳのユーザが入力部５から入力されたコマンドやデータ、美容師検索ウェブサーバＳの動作状態等を閲覧する必要がない場合には、出力部６の必要性は、低減する。外部記憶部７は、例えば、フレキシブルディスク、ＣＤ−ＲＯＭ（Compact Disc Read Only Memory）、ＣＤ−Ｒ（Compact Disc Recordable）及びＤＶＤ−Ｒ（Digital Versatile DiscRecordable）等の記録媒体との間でデータを読み込み及び／又は書き込みを行う装置であり、例えば、フレキシブルディスクドライブ、ＣＤ−ＲＯＭドライブ、ＣＤ−Ｒドライブ及びＤＶＤ−Ｒドライブ等である。ここで、美容師検索ウェブサーバＳに美容師検索プログラム等の各プログラム及び美容師検索プログラム等の各プログラムを実行するために必要な各種のデータが格納されていない場合には、各プログラムや各データを記録した記録媒体からこれらが外部記憶部７を介して記憶部２にインストールされるように構成してもよく、また、これら各プログラムや各データを管理するサーバ（不図示）からネットワークＮＴを介して各プログラムや各データがダウンロードされるように構成されてもよい。
【００３７】
次に、本実施形態の動作について説明する。図５において、美容師検索ウェブサーバＳは、稼働を開始すると、その中央処理部１のウェブサーバ部１１は、ネットワークＮＴを介して通信端末Ｔからのアクセスを待機する。そして、その中央処理部１のメーラ部１２は、自機の電子メールアドレスを用いて、自機宛の電子メールをメールサーバから随時、例えば所定の時間間隔で読み込み、自機宛の電子メールが読み込まれた場合には、この読み込んだ電子メールを記憶部２の電子メール記憶部２２に記憶するものである。
【００３８】
なお、美容師検索ウェブサーバＳと通信端末Ｔ、及び、通信端末Ｔ間は、ネットワークＮＴを介して通信を行うが、以下の説明において、ネットワークＮＴを介する旨の記載を省略する。
【００３９】
通信端末Ｔから美容師検索サイトのアクセス要求を受信すると（Ｓ１１）、美容師検索ウェブサーバＳにおける中央処理部１のウェブサーバ部１１は、記憶部２のページ情報記憶部２１に記憶されている美容師検索サイトにおけるホームページのファイルを、アクセス要求をした当該通信端末Ｔに送信し、このホームページを当該通信端末Ｔの端末側出力部に表示させる（Ｓ１２）。通信端末Ｔは、美容師検索サイトにおけるホームページのファイルを受信すると、ウェブブラウザによりこのホームページを端末側出力部に表示する。
【００４０】
美容師検索サイトのホームページ１０１は、例えば、図８に示すように、美容師検索サイトのタイトルが表示されるタイトル表示部１１１と、当該美容師検索サイトの案内文が表示される案内文表示部１１２とを備えて構成される。
【００４１】
図５に戻って、次に、所定時間、美容師検索サイトのホームページ１０１を当該通信端末Ｔに表示すべく、所定時間待機してから、ウェブサーバ部１１は、ページ情報記憶部２１に記憶されている美容師検索サイトにおける使い方ページ等のファイルを当該通信端末Ｔに送信し、この使い方ページ等を当該通信端末Ｔの端末側出力部に表示させる（Ｓ１３）。使い方ページには、美容師検索サイトの使い方、使用上の注意、責任の所在、個人情報の取り扱い等の、美容師検索サイトを通信端末Ｔのユーザが利用する上で必要な情報が表示される。そして、所定時間待機してから、ウェブサーバ部１１は、ページ情報記憶部２１に記憶されている美容師検索サイトにおける検索／登録選択ページのファイルを当該通信端末Ｔに送信し、この検索／登録選択ページを当該通信端末Ｔの端末側出力部に表示させる（Ｓ１４）。通信端末Ｔは、美容師検索サイトにおける検索／登録選択ページのファイルを受信すると、ウェブブラウザによりこの検索／登録選択ページを端末側出力部に表示する。
【００４２】
この検索／登録選択ページは、当該通信端末Ｔを利用しているユーザに、美容師を検索するか、又は、美容師の登録を行うかの別を選択させ、この別を入力させるためのページである。検索／登録選択ページ１０２は、例えば、図９に示すように、美容師の検索を実行する指示を入力するための「美容師検索へ」ボタン１２１と、美容師の登録を実行する指示を入力するための「美容師登録へ」ボタン１２２とを備えて構成される。
【００４３】
当該通信端末Ｔのユーザは、端末側入力部を用いて、美容師の検索を行う場合には「美容師検索へ」ボタン１２１を操作し、美容師の登録を行う場合には「美容師登録へ」ボタン１２２を操作する。「美容師検索へ」ボタン１２１が操作されると、通信端末Ｔは、美容師の検索を実行する旨の情報を収容する通信信号を選択結果信号として美容師検索ウェブサーバＳに送信し、一方、「美容師登録へ」ボタン１２２が操作されると、通信端末Ｔは、美容師の登録を実行する旨の情報を収容する通信信号を選択結果信号として美容師検索ウェブサーバＳに送信する。
【００４４】
図５に戻って、選択結果信号を受信すると（Ｓ１５）、ウェブサーバ部１１は、選択結果信号に収容されている情報に基づいて当該通信端末Ｔを利用するユーザが美容師の検索を選択したか美容師の登録を選択したかの別を判断する（Ｓ１６）。ウェブサーバ部１１は、選択結果信号に美容師の登録を実行する旨の情報が収容されている場合（登録）には、ユーザが美容師の登録を選択したと判断し、美容師情報登録処理Ｓ１７を実行し、処理を終了し、通信端末Ｔからの新たなアクセスを待機する。一方、ウェブサーバ部１１は、選択結果信号に美容師の検索を実行する旨の情報が収容されている場合（検索）には、ユーザが美容師の検索を選択したと判断し、美容師検索処理Ｓ１８を実行し、処理を終了し、通信端末Ｔからの新たなアクセスを待機する。
【００４５】
次に、処理Ｓ１７における美容師情報登録処理についてさらに説明する。図６において、ウェブサーバ部１１は、選択結果信号に収容されている情報に基づいて当該通信端末Ｔを利用するユーザが美容師の登録を選択したと判断すると、ページ情報記憶部２１に記憶されている美容師検索サイトにおける美容師情報登録ページのファイルを当該通信端末Ｔに送信し、この美容師情報登録ページを当該通信端末Ｔの端末側出力部に表示させる（Ｓ３１）。通信端末Ｔは、美容師検索サイトにおける美容師情報登録ページのファイルを受信すると、ウェブブラウザによりこの美容師情報登録ページを端末側出力部に表示する。
【００４６】
この美容師情報登録ページは、当該通信端末Ｔを利用しているユーザが美容師検索ウェブサーバＳに美容師情報を登録（格納）するためのページである。美容師情報登録ページ１０３は、例えば、図１０に示すように、美容師情報登録ページのタイトルが表示されるタイトル表示部１３０と、美容師情報を記入するための記入ボックス部１３１〜１３８と、記入した美容師情報を美容師検索ウェブサーバＳに登録すべく、記入した美容師情報を美容師検索ウェブサーバＳへ送信する指示を入力するための「登録」ボタン１３９とを備えて構成される。
【００４７】
図１０に示す例では、記入ボックス部１３１〜１３８は、本実施形態では、美容師情報が美容師の氏名、勤務先、電子メールアドレス（Ｅメールアドレス）、エリア、最寄り駅、施術価格、得意施術及び美容師の自己アピールであることから、美容師に関し、氏名、勤務先、電子メールアドレス、最寄り駅、施術価格、得意施術及び自己アピールのそれぞれを記入するための、氏名記入ボックス部１３１、勤務先記入ボックス部１３２、Ｅメールアドレス記入ボックス部１３３、エリア記入ボックス部１３４、最寄り駅記入ボックス部１３５、施術価格記入ボックス部１３６、得意施術チェックボックス部１３７及び自己アピール記入ボックス部１３８を備えて構成されている。
【００４８】
また、最寄り駅記入ボックス部１３５は、最寄り駅の路線名を記入するための路線名記入ボックス部１３５１及び最寄り駅の駅名を記入するための駅名記入ボックス部１３５２を備えて構成されている。施術価格記入ボックス部１３６は、施術の種類ごとに価格を記入するために、施術の種類に対応して複数の記入ボックス部を備えて構成されており、図１０に示す例では、図３に示す美容師情報テーブル２００における施術価格フィールド２０７を構成する各サブフィールドに対応して、カット、パーマ、ストレート、縮毛矯正、トリートメント及びエステの各価格をそれぞれ記入するための、カット価格記入ボックス部１３６１、パーマ価格記入ボックス部１３６２、ストレート価格記入ボックス部１３６３、縮毛矯正価格記入ボックス部１３６４、トリートメント価格記入ボックス部１３６５及びエステ価格記入ボックス部１３６６を備えて構成されている。そして、得意施術チェックボックス部１３７は、得意施術の種類ごとに当該施術が得意である旨を入力すべく、得意施術の種類に対応して複数のチェックボックス部を備えて構成されており、図１０に示す例では、図３に示す美容師情報テーブル２００における得意施術フィールド２０８を構成する各サブフィールドに対応して、得意なヘアースタイルを入力するためのスタイルチェックボックス部１３７１、カット、パーマ、ストレート、縮毛矯正、トリートメント及びエステが得意である場合にその旨を入力するための、カットチェックボックス部１３７２、パーマチェックボックス部１３７３、ストレートチェックボックス部１３７４、縮毛矯正チェックボックス部１３７５、トリートメントチェックボックス部１３７６、及び、エステチェックボックス部１３７７を備えて構成されている。
【００４９】
当該通信端末Ｔのユーザは、端末側入力部を用いて、記入ボックス部１３１〜１３８に美容師情報を入力し、入力した美容師情報で美容師検索ウェブサーバＳに美容師の登録を行う場合に、端末側入力部を用いて「登録」ボタン１３９を操作する。美容師情報登録ページ１０３の「登録」ボタン１３９が操作されると、通信端末Ｔは、記入ボックス部１３１〜１３８に入力された美容師情報を収容する通信信号を美容師情報登録信号として美容師検索ウェブサーバＳに送信する。
【００５０】
図６に戻って、美容師情報登録信号を受信すると（Ｓ３２）、ウェブサーバ部１１は、美容師情報登録信号に収容されている美容師情報を美容師情報登録部１３に通知し、美容師情報登録部１３にこの受信した美容師情報を記憶部２の美容師情報記憶部２３に記憶させることによって、この受信した美容師情報を登録する（Ｓ３３）。美容師情報登録部１３は、美容師情報の通知を受けると、美容師情報テーブル２００に新たなレコードを作成し、この美容師情報を美容師情報テーブル２００における対応する各フィールドに登録することによって、この美容師情報を美容師情報記憶部２３に記憶させる。
【００５１】
次に、ウェブサーバ部１１は、スタイルチェックボックス部１３７１がチェックされている旨の情報が美容師情報登録信号に収容されているか否かを判断する（Ｓ３４）。処理Ｓ３４における判断の結果、この情報が美容師情報登録信号に収容されていない場合（Ｎｏ）には、即ち、当該通信端末Ｔのユーザがスタイルチェックボックス部１３７１をチェックしなかった場合には、ウェブサーバ部１１は、この美容師情報登録処理を終了する。一方、処理Ｓ３４における判断の結果、この情報が美容師情報登録信号に収容されている場合（Ｙｅｓ）には、即ち、当該通信端末Ｔのユーザがスタイルチェックボックス部１３７１をチェックした場合には、ウェブサーバ部１１は、ページ情報記憶部２１に記憶されている美容師検索サイトにおける得意ヘアースタイル選択ページのファイルを当該通信端末Ｔに送信し、この得意ヘアースタイル選択ページを当該通信端末Ｔの端末側出力部に表示させる（Ｓ３５）。通信端末Ｔは、美容師検索サイトにおける得意ヘアースタイル選択ページのファイルを受信すると、ウェブブラウザによりこの得意ヘアースタイル選択ページを端末側出力部に表示する。
【００５２】
この得意ヘアースタイル選択ページは、当該通信端末Ｔを利用しているユーザが美容師検索ウェブサーバＳに美容師が得意とするヘアースタイルを登録（格納）するためのページである。得意ヘアースタイル選択ページ１０４は、例えば、図１１に示すように、得意ヘアースタイル選択ページ１０４のタイトルが表示されるタイトル表示部１４０と、得意へアースタイル選択ページの使い方を表示するための使い方表示部１４１と、１又は複数のヘアースタイルの画像を表示するためのスタイル表示部１４２と、スタイル表示部１４２に表示されるヘアースタイルを１つ戻す指示を入力するための「戻る」ボタン１４３と、スタイル表示部１４２に表示されるヘアースタイルを１つ進める指示を入力するための「進む」ボタン１４４と、スタイル表示部１４２に表示されているヘアースタイルが得意である場合にその旨を入力するための得意スタイルチェックボックス部１４５と、得意なヘアースタイルを美容師検索ウェブサーバＳに登録すべく、得意スタイルチェックボックス部１４５にチャックされたヘアースタイルの情報を美容師検索ウェブサーバＳへ送信する指示を入力するための「登録」ボタン１４６とを備えて構成される。
【００５３】
図１１に示す例では、使い方表示部１４１には、「得意なヘアースタイルを選択してください（複数選択可）」が表示されている。スタイル表示部１４２は、３個のヘアースタイルの画像が表示可能なように、３個の表示領域１４２１、１４２２、１４２３を備えて構成されており、これに対応して得意スタイルチェックボックス部１４５は、３個のチェックボックス部１４５１、１４５２、１４５３を備えて構成されている。なお、スタイル表示部１４２の領域は、任意の個数でよい。また、ヘアースタイルの画像には、ヘアースタイルを表現するヘアースタイルのコメントも含まれている。例えば、表示領域１４２１に表示されているヘアースタイルの画像には、「顔立ちに立体感を与えるリバースカールで美人度急上昇！」のコメントが記載されている。
【００５４】
当該通信端末Ｔのユーザは、端末側入力部を用いて、「戻る」ボタン１４３及び「進む」ボタン１４４を操作することによって、スタイル表示部１４２に表示されるヘアースタイルの画像をスクロールしながら、得意なヘアースタイルを検索する。当該通信端末Ｔのユーザは、スタイル表示部１４２に表示されたヘアースタイルが得意である場合には、このヘアースタイルに対応する得意スタイルチェックボックス部１４５を端末側入力部を用いて操作してチェックする。そして、得意スタイルチェックボックス部１４５にチェックしたヘアースタイルで美容師検索ウェブサーバＳに得意なヘアースタイルの登録を行う場合に、端末側入力部を用いて「登録」ボタン１４６を操作する。得意へアースタイル選択ページ１０４の「登録」ボタン１４６が操作されると、通信端末Ｔは、得意スタイルチェックボックス部１４５にチェックされたヘアースタイルに関するスタイル情報（本実施形態では、各ヘアースタイルを識別するために識別子として各ヘアースタイルに割り当てられている番号（ヘアースタイル番号））を収容する通信信号を得意スタイル情報登録信号として美容師検索ウェブサーバＳに送信する。
【００５５】
図６に戻って、得意スタイル情報登録信号を受信すると（Ｓ３６）、ウェブサーバ部１１は、得意スタイル情報登録信号に収容されているスタイル情報（ヘアースタイル番号）を美容師情報登録部１３に通知し、美容師情報登録部１３にこの受信したスタイル情報を記憶部２の美容師情報記憶部２３に記憶させることによって、この受信したスタイル情報を登録し（Ｓ３７）、この美容師情報登録処理を終了する。美容師情報登録部１３は、スタイル情報の通知を受けると、処理Ｓ３３で美容師情報テーブル２００に作成したレコードにおけるスタイルサブフィールド２０８１に登録することによって、美容師が得意とするヘアースタイルを表す情報として、このヘアースタイル番号を美容師情報記憶部２３に記憶する。
【００５６】
このように動作することによって、美容師は、通信端末Ｔを用いてネットワークＮＴを介して美容師検索ウェブサーバＳにアクセスし、自分の得意な施術を登録することができる。
【００５７】
ここで、カット、パーマ、カラー等の施術には、複数の種類があるので、種類ごとにさらに詳細に得意な施術を登録可能に美容師検索ウェブサーバＳが構成されてもよい。例えば、カットには、グラデーションカット、シャギーカット、ストロークカット、スライドカット、チョップカット、ツーブロックカット、バイアスカット及びレイヤーカット等の種類があるので、これら種類ごとに得意な施術を登録可能に美容師検索ウェブサーバＳが構成されてもよい。
【００５８】
このように美容師検索ウェブサーバＳを構成する場合、例えば、カットチェックボックス部１３７２がチェックされている旨の情報が美容師情報登録信号に収容されているか否かを判断し、この判断の結果、この情報が美容師情報登録信号に収容されている場合には、ページ情報記憶部２１に記憶されている美容師検索サイトにおける得意施術／カット選択ページのファイルを当該通信端末Ｔに送信し、得意施術／カット選択ページを当該通信端末Ｔの端末側出力部に表示させるように、まず、ウェブサーバ部１１が構成される。
【００５９】
通信端末Ｔは、得意施術／カット選択ページのファイルを受信すると、ウェブブラウザにより得意施術／カット選択ページを端末側出力部に表示する。
【００６０】
この得意施術／カット選択ページは、当該通信端末Ｔを利用しているユーザが美容師検索ウェブサーバＳに美容師が得意とするカットの種類を登録（格納）するためのページである。得意施術／カット選択ページ１０５は、例えば、図１２に示すように、得意施術／カット選択ページ１０５のタイトルが表示されるタイトル表示部１５０と、得意施術／カット選択ページの使い方を表示するための使い方表示部１５１と、得意なカットの種類を入力するための得意カットチェックボックス部１５２と、得意なカットの種類を美容師検索ウェブサーバＳに登録すべく、得意カットチェックボックス部１５２にチャックされたカットの種類を表す情報を美容師検索ウェブサーバＳへ送信する指示を入力するための「登録」ボタン１５３とを備えて構成される。
【００６１】
図１２に示す例では、使い方表示部１５１には、「得意なカットの種類を選択してください（複数選択可）」が表示されている。得意カットチェックボックス部１５２は、得意なカットの種類ごとに当該種類のカットが得意である旨を入力すべく、カットの種類に対応して複数のチェックボックス部を備えて構成されており、図１２に示す例では、グラデーションカット、シャギーカット、ストロークカット、スライドカット、チョップカット、ツーブロックカット、バイアスカット及びレイヤーカットの各カットに対応して、グラデーションカット、シャギーカット、ストロークカット、スライドカット、チョップカット、ツーブロックカット、バイアスカット及びレイヤーカットが得意である場合にその旨を入力するための、グラデーションカットチェックボックス部１５２１、シャギーカットチェックボックス部１５２２、ストロークカットチェックボックス部１５２３、スライドカットチェックボックス部１５２４、チョップカットチェックボックス部１５２５、ツーブロックカットチェックボックス部１５２６、バイアスカットチェックボックス部１５２７及びレイヤーカットチェックボックス部１５２８を備えて構成されている。
【００６２】
通信端末Ｔのユーザは、得意な種類のカットに対応する得意カットチェックボックス部１５２を端末側入力部を用いて操作してチェックする。得意カットチェックボックス部１５２にチェックしたカットの種類で美容師検索ウェブサーバＳに得意な種類のカットの登録を行う場合に、端末側入力部を用いて「登録」ボタン１５３を操作する。得意施術／カット選択ページ１０５の「登録」ボタン１５３が操作されると、通信端末Ｔは、得意カットチェックボックス部１５２にチェックされたカットの種類に関するカット情報を収容する通信信号を得意カット情報登録信号として美容師検索ウェブサーバＳに送信する。
【００６３】
そして、得意カット情報登録信号を受信すると、得意カット情報登録信号に収容されているカット情報を美容師情報登録部１３に通知し、美容師情報登録部１３にこの受信したカット情報を記憶部２の美容師情報記憶部２３に記憶させることによって、この受信したカット情報を登録するように、さらに、ウェブサーバ部１１が構成される。また、カット情報の通知を受けると、処理Ｓ３３で美容師情報テーブル２００に作成したレコードにおけるカットサブフィールド２０８２に登録することによって、美容師が得意とするカットの種類を表す情報を美容師情報記憶部２３に記憶するように、美容師情報登録部１３も構成される。なお、例えば、各カットの種類を識別するための識別子としてカットの種類ごとに番号（カット番号）を割り当て、スタイルサブフィールド２０８１にヘアースタイル番号を登録したように、カットサブフィールド２０８２にカット番号を登録すればよい。
【００６４】
次に、処理Ｓ１８における美容師検索処理についてさらに説明する。図７において、ウェブサーバ部１１は、選択結果信号に収容されている情報に基づいて当該通信端末Ｔを利用するユーザが美容師の検索を選択したと判断すると、ページ情報記憶部２１に記憶されている美容師検索サイトにおける顧客基礎情報登録ページのファイルを当該通信端末Ｔに送信し、この顧客基礎情報登録ページを当該通信端末Ｔの端末側出力部に表示させる（Ｓ５１）。通信端末Ｔは、美容師検索サイトにおける顧客基礎情報登録ページのファイルを受信すると、ウェブブラウザによりこの顧客基礎情報登録ページを端末側出力部に表示する。
【００６５】
この顧客基礎情報登録ページは、当該通信端末Ｔを利用しているユーザが美容師検索ウェブサーバＳに自己の希望に合った美容師を検索させるために、このユーザの顧客情報のうち、顧客を特定し識別すると共に顧客と連絡を取るために必要な基礎的な顧客情報（顧客基礎情報）を美容師検索ウェブサーバＳに登録（格納）するためのページである。顧客基礎情報は、例えば本実施形態では電子メールアドレスである。顧客基礎情報登録ページ１０６は、例えば、図１３に示すように、顧客基礎情報登録ページのタイトルが表示されるタイトル表示部１６０と、顧客の氏名を記入するための氏名記入ボックス部１６１と、顧客の電子メールアドレスを記入するためのＥメールアドレス記入ボックス部１６２と、記入した氏名及び電子メールアドレスを美容師検索ウェブサーバＳに登録すべく、記入した氏名及び電子メールアドレスを美容師検索ウェブサーバＳへ送信する指示を入力するための「登録」ボタン１６３と、顧客の顔写真のファイルを美容師検索ウェブサーバＳへ送信するように要求するメッセージ（顔写真要求メッセージ）を表示する顔写真要求メッセージ表示部１６４と、顧客の顔写真のファイルを送信する送信先の電子メールアドレスを表示する送信先Ｅメールアドレス表示部１６５とを備えて構成される。
【００６６】
図１３に示す例では、顔写真要求メッセージ表示部１６４には、「氏名、Ｅメールアドレスの登録後に、登録したＥメールアドレスを用いてご自分の顔写真を添付したＥメールを下記Ｅメールアドレスへ送信してください。」が表示されている。送信先Ｅメールアドレス表示部１６５に表示される電子メールアドレスは、美容師検索ウェブサーバＳが受信可能な電子メールアドレスとされる。
【００６７】
当該通信端末Ｔのユーザは、端末側入力部を用いて、氏名記入ボックス部１６１に顧客の氏名を入力し、Ｅメールアドレス記入ボックス部１６２に顧客の電子メールアドレスを入力し、これら記入した顧客の氏名及び電子メールアドレスで美容師検索ウェブサーバＳに登録を行う場合に、端末側入力部を用いて「登録」ボタン１６３を操作する。顧客基礎情報登録ページ１０６の「登録」ボタン１６３が操作されると、通信端末Ｔは、氏名記入ボックス部１６１及びＥメールアドレス記入ボックス部１６２にそれぞれ記入された氏名及び電子メールアドレスを収容する通信信号を顧客基礎情報登録信号として美容師検索ウェブサーバＳに送信する。
【００６８】
さらに、当該通信端末Ｔのユーザは、Ｅメールアドレス記入ボックス部１６２に記入した電子メールアドレスを用いて、送信先Ｅメールアドレス表示部１６５に表示されているＥメールアドレス宛に、顧客の顔を写した顔写真のファイルを添付した電子メールを作成し、この作成した電子メールを送信する操作を行う。この操作により、当該通信端末Ｔは、顧客の顔を写した顔写真のファイルを添付した電子メールを送信する。例えば、当該通信端末Ｔのユーザは、カメラ付き携帯電話やカメラ付きパーソナルコンピュータ等のカメラを用いて顧客の顔を写すことによって顧客の顔写真のファイルを生成し、Ｅメールアドレス記入ボックス部１６２に記入した電子メールアドレスを用いて、送信先Ｅメールアドレス表示部１６５に表示されているＥメールアドレス宛に、この顧客の顔写真のファイルを添付した電子メールを作成し、この作成した電子メールを送信する操作を行う。このようにカメラ付き携帯電話やカメラ付きパーソナルコンピュータ等は、顧客の顔写真のファイルの生成と、これを添付した電子メールの作成及び送信とを一つの装置で簡易に実行することができるので、通信端末Ｔとして好ましい。もちろん、当該通信端末Ｔのユーザは、例えば、顧客の顔を写した写真をスキャナでスキャニングすることによって顧客の顔写真のファイルを生成して、これを通信端末Ｔに読み込んでこれを添付した電子メールを作成し、この作成した電子メールを美容師検索ウェブサーバＳに送信してもよく、また例えば、通信端末Ｔとは別体のディジタルカメラで顧客の顔を写して顧客の顔写真のファイルを生成して、これを通信端末Ｔに読み込んでこれを添付した電子メールを作成し、この作成した電子メールを美容師検索ウェブサーバＳに送信してもよい。
【００６９】
図７に戻って、顧客基礎情報登録信号を受信すると（Ｓ５２）、ウェブサーバ部１１は、顧客基礎情報登録信号に収容されている顧客の氏名及び電子メールアドレスを顧客情報登録部１４に通知し、顧客情報登録部１４にこの受信したこれら情報を記憶部２の顧客情報記憶部２４に記憶させることによって、この受信したこれら情報を登録する（Ｓ５３）。顧客情報登録部１４は、顧客の氏名及び電子メールアドレスの通知を受けると、顧客情報テーブル３００に新たなレコードを作成し、この顧客の氏名及び電子メールアドレスを顧客情報テーブル３００における対応する氏名フィールド３０２及びＥメールアドレスフィールド３０３にそれぞれ登録することによって、これら情報を顧客情報記憶部２４に記憶する。ここで、同一の顧客に対し重複して顧客情報が顧客情報テーブル３００に登録されることを避ける観点から、顧客情報登録部１４は、この通知を受けた顧客の氏名及び電子メールアドレスが顧客情報テーブル３００に既に登録されているか否かを判断し、既に登録されている場合には、顧客情報テーブル３００に新たなレコードを作成する処理を中止してもよい。
【００７０】
次に、ウェブサーバ部１１は、この顧客の顔写真のファイルを添付した電子メールを受信しているか否かを判断する（Ｓ５４）。より具体的には、例えば、ウェブサーバ部１１は、画像のファイルが添付され、この受信した顧客の電子メールアドレスを送信元電子メールアドレスとして持つ電子メールが記憶部２の電子メール記憶部２２に記憶されているか否かを検索する。検索した結果、画像のファイルが添付され、この受信した顧客の電子メールアドレスを送信元電子メールアドレスとして持つ電子メールが電子メール記憶部２２に記憶されている場合には、ウェブサーバ部１１は、この顧客の顔写真のファイルが添付された電子メールを受信していると判断し、一方、この受信した顧客の電子メールアドレスを送信元電子メールアドレスとして持つ電子メールが電子メール記憶部２２に記憶されていない場合には、ウェブサーバ部１１は、この顧客の顔写真のファイルが添付された電子メールを受信していないと判断する。
【００７１】
処理Ｓ５４における判断の結果、この電子メールを受信していないと判断した場合（Ｎｏ）には、ウェブサーバ部１１は、処理Ｓ５４に戻り、この電子メールを受信していると判断した場合（Ｙｅｓ）には、ウェブサーバ部１１は、処理Ｓ５５を実行する。即ち、ウェブサーバ部１１は、この顧客の顔写真のファイルを添付した電子メールを受信するまで処理Ｓ５４を繰り返す。
【００７２】
処理Ｓ５５において、ウェブサーバ部１１は、顧客の顔写真のファイルを用いてページ情報記憶部２１に記憶されている美容師検索サイトにおける希望ヘアースタイル登録ページのファイルを当該通信端末Ｔに送信し、この希望ヘアースタイル登録ページを当該通信端末Ｔの端末側出力部に表示させる（Ｓ５５）。通信端末Ｔは、美容師検索サイトにおける希望ヘアースタイル登録ページのファイルを受信すると、ウェブブラウザによりこの希望ヘアースタイル登録ページを端末側出力部に表示する。
【００７３】
この希望ヘアースタイル登録ページは、当該通信端末Ｔを利用しているユーザが美容師検索ウェブサーバＳに自己の希望に合った美容師を検索させるために、このユーザの顧客情報のうち、自己の希望に合ったヘアースタイルを美容師検索ウェブサーバＳに登録（格納）するためのページである。希望ヘアースタイル登録ページ１０７は、例えば、図１４に示すように、希望ヘアースタイル登録ページ１０７のタイトルが表示されるタイトル表示部１７０と、現在の顧客の顔写真を表示するための現在ヘアースタイル表示部１７１と、顧客が選択したヘアースタイルを現在の顧客の顔写真に重ねることによって変更後の顧客のヘアースタイルを表示するための希望ヘアースタイル表示部１７２と、現在ヘアースタイル表示部１７１及び希望ヘアースタイル表示部１７２に表示される顧客の顔を輪郭のみにするか否かを問い合わせるメッセージ（輪郭問い合わせメッセージ）を表示するための輪郭問い合わせメッセージ表示部１７３と、輪郭問い合わせメッセージに対する回答として、輪郭のみにすべく、顧客の顔を輪郭のみにする要求を美容師検索ウェブサーバＳへ送信する指示を入力するための「ＹＥＳ」ボタン１７４と、１又は複数のヘアースタイルの画像を表示するためのスタイル表示部１７５と、スタイル表示部１７５に表示されるヘアースタイルを１つ戻す指示を入力するための「戻る」ボタン１７６と、スタイル表示部１７５に表示されるヘアースタイルを１つ進める指示を入力するための「進む」ボタン１７７と、希望のヘアースタイルを美容師検索ウェブサーバＳに登録すべく、希望ヘアースタイル表示部１７２に表示されたヘアースタイルの情報を美容師検索ウェブサーバＳへ送信する指示を入力するための「登録」ボタン１７８とを備えて構成される。
【００７４】
ウェブサーバ部１１は、通信端末Ｔに希望ヘアースタイル登録ページ１０７のファイルを送信する際に、顧客の顔写真のファイルを現在ヘアースタイル表示部１７１及び希望ヘアースタイル表示部１７２に組み込むように、構成され、そして、この際に、この組み込んだ顧客の顔写真のファイルを記憶部２の顔写真ファイル記憶部２５に記憶すると共に、この組み込んだ顧客の顔写真のファイルにおけるファイル名と当該通信端末Ｔを特定し識別する識別子（例えば、当該通信端末Ｔのウェブブラウザに割り当てたポート番号）とを対応づけて記憶部２に一時的に記憶するように構成される。なお、顧客の顔写真のファイルにおけるファイル名が複数の顧客の間で重複しないようにする観点から、ウェブサーバ部１１は、顧客の顔写真のファイルにおけるファイル名を、顧客が付けたファイル名からファイル間で重複しないような適宜なファイル名、例えば処理Ｓ５３で作成されたレコードのレコード番号に付け直す（リネームする）ように構成されてもよい。
【００７５】
当該通信端末Ｔのユーザは、現在ヘアースタイル表示部１７１及び希望ヘアースタイル表示部１７２に表示されている顔写真の顔から目、鼻、口等を消去して輪郭のみにする場合には、端末側入力部を用いて「Ｙｅｓ」ボタン１７４を操作する。この希望ヘアースタイル登録ページ１０７の「Ｙｅｓ」ボタン１７４が操作されると、通信端末Ｔは、顧客の顔写真の顔を輪郭のみにするように要求する情報を収容する通信信号を輪郭要求信号として美容師検索ウェブサーバＳに送信する。
【００７６】
あるいは、当該通信端末Ｔのユーザは、端末側入力部を用いて、「戻る」ボタン１７６及び「進む」ボタン１７７を操作することによって、スタイル表示部１７５に表示されるヘアースタイルの画像をスクロールしながら、希望のヘアースタイルを検索する。当該通信端末Ｔのユーザは、スタイル表示部１７５に表示されたヘアースタイルが希望のヘアースタイルである場合には、ヘアースタイルの画像を端末側入力部を用いて操作する。この操作は、例えば、希望のヘアースタイルの画像にマウスカーソルを合わせることや、希望のヘアースタイルの画像にマウスカーソルを合わせた上でさらにマウスのボタンをクリックすることである。このような操作が実行されると、通信端末Ｔは、希望のヘアースタイルの画像に関するスタイル情報（本実施形態では、ヘアースタイル番号）を収容する通信信号をスタイル変更要求信号として美容師検索ウェブサーバＳに送信する。
【００７７】
あるいは、当該通信端末Ｔのユーザは、希望ヘアースタイル表示部１７２に表示されているヘアースタイルで美容師検索ウェブサーバＳに希望ヘアースタイルの登録を行う場合には、端末側入力部を用いて「登録」ボタン１７８を操作する。希望へアースタイル選択ページ１０７の「登録」ボタン１７８が操作されると、通信端末Ｔは、希望ヘアースタイル表示部１７２に表示されているヘアースタイルに関するスタイル情報（本実施形態では、ヘアースタイル番号）を収容する通信信号を希望スタイル登録信号として美容師検索ウェブサーバＳに送信する。
【００７８】
図７に戻って、通信信号を受信すると（Ｓ５６）、ウェブサーバ部１１は、受信した通信信号の種類を判断する（Ｓ５７）。
【００７９】
処理Ｓ５７の判断の結果、受信した通信信号がスタイル変更要求信号である場合には、ウェブサーバ部１１は、公知の画像処理技術により、スタイル変更要求信号に収容されている希望のヘアースタイルの画像に関するスタイル情報（ヘアースタイル番号）に応じたヘアースタイルの画像を顧客の顔とマッチするように顧客の顔写真の画像に重ねるヘアースタイルの画像処理を実行し（Ｓ５８）、処理を処理Ｓ５５に戻す。
【００８０】
このように動作することによって、当該通信端末Ｔには、顧客の現在のヘアースタイルに希望のヘアースタイルが重なった画像を希望ヘアースタイル表示部１７２に表示した希望ヘアースタイル登録ページ１０７が表示される。この画像を参照することによって、当該通信端末Ｔを利用するユーザは、スタイル表示部１７５から選択したヘアースタイルが自分に似合っているか否かや、自分の希望に合っているか否か等の判断を行い得る。そして、この選択されたヘアースタイルの画像を顧客の顔写真の画像に重ねる際に、顧客のヘアースタイルを消去することなく残すので、希望のヘアースタイルにした場合、現在のヘアースタイルからどのように変化するかを認識し得る。このため、この選択したヘアースタイルが自分に似合っているか否かや、自分の希望に合っているか否か等の判断をより的確に行い得る。特に、この画像を参照することによって当該通信端末Ｔを利用するユーザは、視覚的（ビジュアル）に判断を行うことができるので、より一層的確に判断し得る。
【００８１】
なお、この残される顧客の現在のヘアースタイルは、重ねられるヘアースタイルとの差がより明瞭となるように、それらの明度に差をつける等の画像処理を施してもよい。
【００８２】
また、処理Ｓ５７の判断の結果、受信した通信信号が輪郭要求信号である場合には、ウェブサーバ部１１は、顧客の顔から目、鼻、口等を消去して顔の輪郭のみを残す顔写真の画像処理を顧客の顔写真のファイルに実行し（Ｓ５９）、処理を処理Ｓ５５に戻す。この顔の輪郭のみを残す顔写真の画像処理には、例えば、顔の色と背景色との相違を検出することによって顔の輪郭線を抽出する画像処理技術等の公知の画像処理技術が利用される。
【００８３】
このように動作することによって、当該通信端末Ｔには、目、鼻、口等が消去されその輪郭のみが残された顔写真を現在ヘアースタイル表示部１７１及び希望ヘアースタイル表示部１７２に表示した希望ヘアースタイル登録ページ１０７が表示される。
【００８４】
また、処理Ｓ５７の判断の結果、受信した通信信号が希望スタイル登録信号である場合には、ウェブサーバ部１１は、希望スタイル登録信号に収容されているスタイル情報（ヘアースタイル番号）及び記憶部２に一時的に記憶した顧客の顔写真のファイルにおけるファイル名を顧客情報登録部１４に通知し、顧客情報登録部１４にこの受信したスタイル情報（ヘアースタイル番号）及び顧客の顔写真のファイルにおけるファイル名を記憶部２の顧客情報記憶部２４に記憶させることによって、この受信したスタイル情報（ヘアースタイル番号）及び顧客の顔写真のファイルにおけるファイル名を登録する（Ｓ６０）。顧客情報登録部１４は、スタイル情報（ヘアースタイル番号）及び顧客の顔写真のファイルにおけるファイル名の通知を受けると、スタイル情報（ヘアースタイル番号）及び顧客の顔写真のファイルにおけるファイル名を、処理Ｓ５３で顧客情報テーブル３００に作成したレコードにおける希望施術フィールド３０７のスタイルサブフィールド３０７１及び顔写真ファイル名フィールド３０４にそれぞれ登録することによって、顧客情報記憶部２４に記憶する。
【００８５】
ここで、注目すべきは、希望ヘアースタイル登録ページ１０７で顧客が「Ｙｅｓ」ボタン１７４を操作することによって顔の輪郭のみを残す顔写真を選択した場合には、処理Ｓ６０において、ウェブサーバ部１１は、記憶部２の顔写真ファイル記憶部２５に記憶されている顧客の顔写真のファイルを、処理Ｓ５９で生成した顔の輪郭のみを残した顔写真のファイルに書き換えることである。これにより輪郭のみが残された顧客の顔写真のファイルのみが顔写真ファイル記憶部２５に記憶され、そして、このファイルのファイル名が顧客情報記憶部２４に記憶される。
【００８６】
このように動作することによって、顧客の知らない者が顧客の顔写真を参照したとしても、顧客の素顔が分からないので顧客のプライバシーが保護され得、また、顧客を特定し難いので顧客の安全性が向上され得る。そして、この顧客の素顔を写した顔写真のファイルがインターネットを介して流出する危険も低減される。このため、顧客は、安心して自己の素顔を写した顔写真のファイルを美容師検索ウェブサーバＳに送信することができる。
【００８７】
次に、ウェブサーバ部１１は、ページ情報記憶部２１に記憶されている美容師検索サイトにおけるその他希望条件登録ページのファイルを当該通信端末Ｔに送信し、その他希望条件登録ページを当該通信端末Ｔの端末側出力部に表示させる（Ｓ６１）。通信端末Ｔは、美容師検索サイトにおけるその他希望条件登録ページのファイルを受信すると、ウェブブラウザによりその他希望条件登録ページを端末側出力部に表示する。
【００８８】
このその他希望条件登録ページは、当該通信端末Ｔを利用しているユーザが美容師検索ウェブサーバＳに自己の希望に合った美容師を検索させるために、このユーザの顧客情報のうち、希望の施術及び施術を受ける希望の場所を美容師検索ウェブサーバＳに登録（格納）するためのページである。その他希望条件登録ページ１０８は、例えば、図１５に示すように、顧客が希望するエリアを記入するための希望エリア記入部１８１と、顧客が希望する最寄り駅の駅名を記入するための最寄り駅記入部１８２と、顧客が希望する施術を記入するための希望施術記入部１８３と、これら希望の条件を美容師検索ウェブサーバＳに登録すべく、希望エリア記入部１８１、希望最寄り駅記入部１８２及び希望施術記入部１８３に記入された情報を美容師検索ウェブサーバＳへ送信する指示を入力するための「登録」ボタン１８４とを備えて構成される。
【００８９】
希望エリア記入部１８１は、希望エリアの都道府県の名称を記入するための都道府県名記入部１８１１と、希望エリアの市町村の名称を記入するための市町村名記入部１８１２とを備えて構成されている。希望最寄り駅記入部１８２は、希望最寄り駅の路線名を記入するための路線名記入部１８２１と、希望最寄り駅の駅名を記入するための駅名記入部１８２２とを備えて構成されている。そして、希望施術記入部１８３は、希望する施術の種類ごとに当該施術を希望する旨を入力すべく、ヘアースタイルを除く施術の種類に対応して複数のチェックボックス部を備えて構成されており、図１５に示す例では、図４に示す顧客情報テーブル３００における希望施術フィールド３０７を構成する各サブフィールドに対応して、カット、パーマ、ストレート、縮毛矯正、トリートメント及びエステを希望する場合にその旨を入力するための、カットチェックボックス部１８３１、パーマチェックボックス部１８３２、ストレートチェックボックス部１８３３、縮毛矯正チェックボックス部１８３４、トリートメントチェックボックス部１８３５、及び、エステチェックボックス部１８３６を備えて構成されている。
【００９０】
当該通信端末Ｔのユーザは、エリアから美容師を絞り込む場合には希望エリア記入部１８１に希望のエリアを記入し、最寄り駅から美容師を絞り込む場合には最寄り駅記入部１８２に希望の最寄り駅を記入し、そして、希望する施術に応じたチェックボックス部１８３１〜１８３６をチェックすることによって希望の施術を希望施術記入部１８３に記入する。なお、希望エリア記入部１８１及び希望最寄り駅記入部１８２の両方にエリア及び最寄り駅をそれぞれ記入してもよく、また、両方ともに記入しなくてもよい。入力したこれら情報で美容師検索ウェブサーバＳに顧客情報の登録を行う場合に、端末側入力部を用いて「登録」ボタン１８４を操作する。その他希望条件登録ページ１０８の「登録」ボタン１８４が操作されると、通信端末Ｔは、希望エリア記入部１８１、希望最寄り駅記入部１８２及び希望施術記入部１８３に記入されたその他希望条件の情報を収容する通信信号を希望条件登録要求信号として美容師検索ウェブサーバＳに送信する。
【００９１】
図７に戻って、希望条件登録要求信号を受信すると（Ｓ６２）、ウェブサーバ部１１は、希望条件登録要求信号に収容されているその他希望条件の情報を顧客情報登録部１４に通知し、顧客情報登録部１４にこの受信したその他希望条件の情報を記憶部２の顧客情報記憶部２４に記憶させることによって、この受信したその他希望条件の情報を登録する（Ｓ６３）。顧客情報登録部１４は、その他希望条件の情報の通知を受けると、処理Ｓ５３で顧客情報テーブル３００に生成したレコードにおける対応するエリアフィールド、最寄り駅フィールド及び希望施術フィールドに希望のエリア、希望の最寄り駅及び希望の施術をそれぞれ登録することによって、これら情報を顧客情報記憶部２４に記憶する。
【００９２】
次に、ウェブサーバ部１１は、顧客情報テーブル３００における処理Ｓ５３で作成したレコードに登録されている希望のエリア、最寄り駅及び施術を検索処理部１５に通知し、検索処理部１５に顧客の要求に適合する美容師を美容師情報テーブル２００から検索させることによって、顧客の要求に適合する美容師を検索する（Ｓ６４）。
【００９３】
この処理Ｓ６４において、検索処理部１５は、通知を受けると、この通知された希望のエリア、最寄り駅及び施術を検索キーとして、これら検索キーと一致するエリア、最寄り駅及び施術をエリアフィールド２０５、最寄り駅フィールド２０６及び得意施術フィール２０８に登録するレコードを美容師情報テーブル２００から検索し、検索したレコードの各フィールドに登録されている美容師の氏名、勤務先、電子メールアドレス、エリア、最寄り駅、施術価格、得意施術及び自己アピールをウェブサーバ部１１に通知する。
【００９４】
なお、検索キーと完全一致するレコードを美容師情報テーブル２００から検索することができない場合には、エリア、最寄り駅及び得意施術のうちの何れかに一致するレコードを検索してもよい。ここで、一般に、顧客は、希望のヘアースタイルにしてもらうことを美容師に希望するものであるから、得意施術のスタイル情報に一致するレコードを優先的に検索するように検索処理部１５が構成されてもよい。あるいは、その他希望条件登録ページ１０８等に検索キーの優先順位を記入する検索キー優先順位記入部をさらに設け、顧客に検索キーの優先順位を決定させ、顧客が決定した優先順位に従って検索キーに一致するレコードを検索するように検索処理部１５が構成されてもよい。このように構成されることによって顧客の希望に沿った美容師が検索されるので、顧客の満足感を向上し得る。
【００９５】
検索結果の通知を受けると、ウェブサーバ部１１は、検索結果の美容師の電子メールアドレス宛に顧客の存在を美容師に通知する電子メール（顧客情報電子メール）を作成し、送信する（Ｓ６５）。この顧客情報電子メールには、少なくとも顧客の電子メールアドレスが記載されて構成され、必要に応じて、顧客の顔写真のファイルや、希望のエリアや、希望の最寄り駅や、希望施術の各情報が記載されて構成される。
【００９６】
この顧客情報電子メールを受信することによって、美容師検索ウェブサーバＳに登録した美容師は、顧客の存在を知ることができ、美容師の方から顧客に電子メールを送信して連絡を取ることができ、顧客の獲得に役立てることができると共に、顧客の希望を叶える美容師の存在を顧客に知らせることができる。特に、顧客の顔写真が顧客情報電子メールに含まれる場合でも、顧客が顔の輪郭のみを選択した場合には、輪郭のみの顔写真が美容師に送信されるから、顧客の面識のない美容師に対し顧客の顔写真のファイルが送信されても顧客の素顔が出ないのでそのプライバシーが保護され得、また、顧客を特定し難いのでその安全性が向上され得る。その一方で、美容師は、顧客の顔の輪郭を知り得るので、顧客が希望するヘアースタイル等の施術を行う上でのカウンセリングを容易に行い得る。
【００９７】
次に、ウェブサーバ部１１は、検索結果を当該通信端末Ｔに表示させるべく、検索処理部１５から通知された検索結果を用いて、ページ情報記憶部２１に記憶されている美容師検索サイトにおける検索結果ページのファイルを当該通信端末Ｔに送信し、この検索結果ページを当該通信端末Ｔの端末側出力部に表示させ（Ｓ６６）、この美容師検索処理を終了する。通信端末Ｔは、美容師検索サイトにおける検索結果ページのファイルを受信すると、ウェブブラウザによりこの検索結果ページを端末側出力部に表示する。
【００９８】
この検索結果ページは、当該通信端末Ｔを利用しているユーザに検索結果を通知するためのページであり、少なくとも美容師の電子メールアドレスが含まれる。検索結果ページ１０９は、例えば、図１６に示すように、検索結果ページ１０９のタイトルが表示されるタイトル表示部１９０と、検索結果における美容師の電子メールアドレスを表示する電子メールアドレス表示部１９１と、検索結果における美容師の電子メールアドレス以外の情報を得るべく、その旨を美容師検索ウェブサーバＳへ送信する指示を入力するための「見る」ボタン１９２と、この「見る」ボタン１９２の説明を表示する説明表示部１９３とを備えて構成される。「見る」ボタン１９２は、電子メールアドレス表示部１９１に表示される電子メールアドレスに対応して設けられ、図１６に示す例では、処理Ｓ６４で３人の美容師が検索されこれら３人の美容師の電子メールアドレス１９１１、１９１２、１９１３が電子メールアドレス表示部１９１に表示されていることから３個の「見る」ボタン１９２１、１９２２、１９２３を備えている。この「見る」ボタン１９２が操作されると、ウェブサーバ部１１は、操作された「見る」ボタン１９２に対応する美容師の氏名、勤務先、エリア、最寄り駅、施術価格、得意施術及び自己アピールが図略のページによって当該通信端末Ｔに表示させる。
【００９９】
当該通信端末Ｔに表示された検索結果ページ１０９の検索結果を参照することによって、顧客は、自分の希望に適合した美容師の存在を知ることができ、顧客の方から美容師に電子メールを送信して連絡を取ることができる。
【０１００】
そして、顧客と美容師との間で相互に電子メールを１又は複数回交換することによって、美容師のカウンセリングを受けながら顧客が希望するヘアースタイル等の施術を決定することができ、また、この決定したヘアースタイル等の施術を受けるための料金や日時を決定することができる。
【０１０１】
なお、上述の実施形態では、希望ヘアースタイル登録ページ１０７における顧客の顔写真は、１方向の１枚だけであったが、３方向の３枚によって構成した３Ｄ画像方式でもよい。３Ｄ画像方式を採用することによって、ヘアースタイルが立体的に表現され、ヘアースタイルをより的確に表現することができる。また、さらに、ヘアースタイルにおける施術の説明を表示するように構成してもよい。このように施術の説明を表示することによって、ヘアースタイルをさらにより的確に表現することができる。
【０１０２】
図１７において、施術の説明を含む３Ｄ画像方式における希望ヘアースタイル登録ページ４０１は、希望ヘアースタイル登録ページ４０１のタイトルが表示されるタイトル表示部４１０と、３Ｄ画像方式により現在の顧客の顔写真を表示するための現在ヘアースタイル表示部４１１と、３Ｄ画像方式により顧客が選択したヘアースタイルを現在の顧客の顔写真に重ねることによって変更後の顧客のヘアースタイルを表示するための希望ヘアースタイル表示部４１２と、現在ヘアースタイル表示部４１１及び希望ヘアースタイル表示部４１２に表示される顧客の顔を輪郭のみにするか否かを問い合わせるメッセージ（輪郭問い合わせメッセージ）を表示するための輪郭問い合わせメッセージ表示部４１３と、輪郭問い合わせメッセージに対する回答として、輪郭のみにすべく、顧客の顔を輪郭のみにする要求を美容師検索ウェブサーバＳへ送信する指示を入力するための「ＹＥＳ」ボタン４１４と、１又は複数のヘアースタイルの画像を表示するためのスタイル表示部４１５と、スタイル表示部４１５に表示されるヘアースタイルを１つ戻す指示を入力するための「戻る」ボタン４１６と、スタイル表示部４１５に表示されるヘアースタイルを１つ進める指示を入力するための「進む」ボタン４１７と、希望のヘアースタイルを美容師検索ウェブサーバＳに登録すべく、希望ヘアースタイル表示部４１２に表示されたヘアースタイルの情報を美容師検索ウェブサーバＳへ送信する指示を入力するための「登録」ボタン４１８と、施術の説明を表示するための施術説明表示部４１９とを備えて構成される。
【０１０３】
現在ヘアースタイル表示部４１１及び希望ヘアースタイル表示部４１２は、３Ｄ画像方式であるため、顧客の顔を写した正面方向を少なくとも含む３方向から顧客の頭部を写した画像を表示することができるように３個の領域から構成され、図１７に示す例では、正面方向から頭部（顔）を写した正面写真を表示するためのＦｒｏｎｔ（フロント）表示部４１１１、４１２１と、側面から頭部を写した側面写真を表示するためのＳｉｄｅ（サイド）表示部４１１２、４１２２と、背面から頭部を写した背面写真を表示するためのＢａｃｋ（バック）表示部４１１３、４１２３とを備えて構成されている。このため、顧客基礎情報登録ページ１０６の顔写真要求メッセージ表示部１６４には、これら３方向の頭部を写した３個の写真のファイルを美容師検索ウェブサーバＳに送信するように要求するメッセージが含まれ、通信端末Ｔを利用するユーザは、これら３方向から頭部を写した３個の写真のファイルを電子メールに添付して美容師検索ウェブサーバＳに送信する。
【０１０４】
現在ヘアースタイル表示部４１１及び希望ヘアースタイル表示部４１２にこれら３方向の頭部写真が表示されることを除き、現在ヘアースタイル表示部４１１、希望ヘアースタイル表示部４１２、「Ｙｅｓ」ボタン４１４、スタイル表示部４１５、「進む」ボタン４１６、「戻る」ボタン４１７及び「登録」ボタン４１８は、希望ヘアースタイル登録ページ１０７における現在ヘアースタイル表示部１７１、希望ヘアースタイル表示部１７２、「Ｙｅｓ」ボタン１７４、スタイル表示部１７５、「進む」ボタン１７６、「戻る」ボタン１７７及び「登録」ボタン１７８と同様に機能するので、その説明を省略する。
【０１０５】
そして、施術説明表示部４１９は、ヘアースタイル全体の説明を表示するための全体説明表示部４１９１と、カットの説明を表示するためのカット説明表示部４１９２と、パーマの説明を表示するためのパーマ説明表示部４１９３と、カラーリングの説明を表示するためのカラーリング説明表示部４１９４と、スタイリングの説明を表示するためのスタイリング説明表示部４１９５とを備えて構成されている。
【０１０６】
図１７に示す例では、全体説明表示部４１９１には、“しなやかな毛束の動きで鎖骨ラインをきれいに演出、全体にボリューム感を抑えつつポイントで毛束に遊びを作った上品ミディアム、斜めの前髪は自然にサイドへ流し、女性らしいまなざしをアピール、大人の魅力を発揮します。”と表示されており、カット説明表示部４１９２には、“前上がりベースのつむじから放射状にレイヤーを入れ、厚めバングは斜めに流れるようにカット。”と表示されており、パーマ説明表示部４１９３には、“トップにボリューム感が出るように太めロッドで根本まで巻き込み、毛先は１．５回転内巻きにして束感を出す。”と表示されており、カラーリング説明表示部４１９４には、“９トーンのブラウンを全体に入れ、深みのあるつややかな質感に仕上げる。”と表示されており、そして、スタイリング説明表示部４１９５には、“根本に膨らみが出るようにフォワードに乾かし、毛先は軽く内巻きにねじってカールを再生毛先にワックスを揉み込んで束感を出す。”と表示されている。
【０１０７】
なお、上述の実施形態では、美容師検索ウェブサーバＳは、別体のメールサーバから自機宛の電子メールを中央処理部のメーラ部１２によって読み込むように構成されたが、美容師検索ウェブサーバＳがメールサーバの機能を兼ね備えるように構成されてもよい。
【図面の簡単な説明】
【０１０８】
【図１】実施形態に係る美容師検索システムの構成を示すブロック図である。
【図２】実施形態に係る美容師検索ウェブサーバの構成を示すブロック図である。
【図３】実施形態に係る美容師情報テーブルの構成を示す図である。
【図４】実施形態に係る顧客情報テーブルの構成を示す図である。
【図５】実施形態に係る美容師検索ウェブサーバの動作を示すフローチャートである。
【図６】実施形態に係る美容師情報登録処理を示すフローチャートである。
【図７】実施形態に係る美容師検索処理を示すフローチャートである。
【図８】実施形態に係る美容師検索サイトにおけるホームページの構成を示す図である。
【図９】実施形態に係る美容師検索サイトにおける検索／登録選択ページの構成を示す図である。
【図１０】実施形態に係る美容師検索サイトにおける美容師情報登録ページの構成を示す図である。
【図１１】実施形態に係る美容師検索サイトにおけるヘアースタイル選択ページの構成を示す図である。
【図１２】実施形態に係る美容師検索サイトにおける得意施術／カット選択ページの構成を示す図である。
【図１３】実施形態に係る美容師検索サイトにおける顧客基礎情報登録ページの構成を示す図である。
【図１４】実施形態に係る美容師検索サイトにおける希望ヘアースタイル登録ページの構成を示す図である。
【図１５】実施形態に係る美容師検索サイトにおけるその他希望条件登録ページの構成を示す図である。
【図１６】実施形態に係る美容師検索サイトにおける検索結果ページの構成を示す図である。
【図１７】施術の説明を含む３Ｄ画像方式における希望ヘアースタイル登録ページの構成を示す図である。
【符号の説明】
【０１０９】
ＳＹ；美容師検索システム、Ｓ；美容師検索ウェブサーバ、Ｔ；通信端末、ＮＴ；ネットワーク、１；中央処理部、２；記憶部、３；通信インタフェース部、４；バス、７；外部記憶部、１１；ウェブサーバ部、１２；メーラ部、１３；美容師情報登録部、１４；顧客情報登録部、１５；検索処理部、２１；ページ情報記憶部、２２；電子メール記憶部、２３；美容師情報記憶部、２４；顧客情報記憶部、２５；顔写真ファイル記憶部
【図１】
2007193646.tif 000003
【図２】
2007193646.tif 000004
【図３】
2007193646.tif 000005
【図４】
2007193646.tif 000006
【図５】
2007193646.tif 000007
【図６】
2007193646.tif 000008
【図７】
2007193646.tif 000009
【図８】
2007193646.tif 000010
【図９】
2007193646.tif 000011
【図１０】
2007193646.tif 000012
【図１１】
2007193646.tif 000013
【図１２】
2007193646.tif 000014
【図１３】
2007193646.tif 000015
【図１４】
2007193646.tif 000016
【図１５】
2007193646.tif 000017
【図１６】
2007193646.tif 000018
【図１７】
2007193646.tif 000019